(57)【要約】【課題】強度剛性に優れると共に、家の中で使用する際に家具類等とマッチする暖たかみのある外観品質を確保する一方、冬期において触れた時の冷たい、と感じる不快感をなくす。【解決手段】左右一対のサイドフレーム３を構成するキャスタ１７を備えた前方フレーム９及び後方フレーム１１の内、後方フレーム１１に後方フレーム装飾部材７を結合支持する。一方、前方フレーム９に、その前方フレーム９に沿って上方へ延長し、その延長部から一体に連続し合う幅方向に長い取手部２３を構成する前方フレーム装飾部材５を結合支持し、前記後方フレーム装飾部材７及び前方フレーム装飾部材５を一定の厚みを備えた木材で構成する。【選択図】図１
2005118141.tif 000002
【特許請求の範囲】
【請求項１】
下部にキャスタを備え前方へ向け下降傾斜した前方フレームと、下部にキャスタを備え後方へ向け下降傾斜した後方フレームとからなる左右一対のサイドフレームと、その左右のサイドフレームの前方フレーム同志を結合する結合フレームと、一部分を残して前記左右の後方フレームに沿って結合支持された後方フレーム装飾部材と、一部分を残して前記左右の前方フレームに沿って上方へ延長支持され、その延長部から一体に連結し合う幅方向に長い取手部を構成する前方フレーム装飾部材とから成り、前記後方フレーム装飾部材及び前方フレーム装飾部材は、一定の厚みを備えた木材で作られていることを特徴とする歩行補助器。
【請求項２】
前方フレーム装飾部材は、前方フレームに沿って上下にスライド自在に固定支持されていることを特徴とする請求項１記載の歩行補助器。
【請求項３】
左右の後方フレームは、左右の前方フレームのフレーム幅より大きいフレーム幅に形成されていることを特徴とする請求項１記載の歩行補助器。
【発明の詳細な説明】
【技術分野】
【０００１】
本発明は、特に家の中で使用するのに適する歩行補助器に関する。
【背景技術】
【０００２】
一般にお年寄りや身体の不自由な人が使用する歩行補助器は、条件の１つに堅牢で安全に使用できることが求められるためにフレームの材質は強度剛性に優れるスチール製となっている。
【０００３】
スチール製のフレームは、堅牢の面では問題はないが、全体が重くなることと、家の中で使用する際に暖かみに欠ける外観品質に加えて、家の中の家具類等と合わないことと、特に冬期にあってはフレームに触れると冷たい、という不快感を与える等の不具合を有する。
【特許文献１】特開２００３−１２６１９２号公報
【発明の開示】
【発明が解決しようとする課題】
【０００４】
前記したように、スチール製のフレームでできた歩行補助器の解決しようとする問題点は、重量の面、外観品質の面、触れた時の冷たい、と感じる不快感を与える等の不具合を有する点である。
【課題を解決するための手段】
【０００５】
前記不具合いの解消を図るために本発明は、下部にキャスタを備え前方へ向け下降傾斜した前方フレームと、下部にキャスタを備え後方へ向け下降傾斜した後方フレームとからなる左右一対のサイドフレームと、その左右のサイドフレームの前方フレーム同志を結合する結合フレームと、一部分を残して前記左右の後方フレームに沿って結合支持された後方フレーム装飾部材と、一部分を残して前記左右の前方フレームに沿って上方へ延長支持され、その延長部から一体に連結し合う幅方向に長い取手部を構成する前方フレーム装飾部材とから成り、前記後方フレーム装飾部材及び前方フレーム装飾部材は、一定の厚みを備えた木材で作られていることを特徴とする。
【発明の効果】
【０００６】
本発明の歩行補助器によれば、フレームのほぼ全体が木材となるため、暖かみのある外観品質に加えて高級感が得られると共に、家の中で使用しても家具類等とマッチする。また、外気温の低い冬期において直接触れてもスチール製のように冷たい、という不快感が起きることはない。
【０００７】
また、木材は一定の厚みを備えることで強度メンバとして機能し、全体の強度剛性が確保できるため、サイドフレームを断面薄肉の中空状としたり、Ｔ字状にすることが可能となり、その分、軽量化の面でも大変好ましいものとなる。
【発明を実施するための最良の形態】
【０００８】
第１には、前方フレーム装飾部材を、前方フレームに沿って上下にスライド自在に固定支持し、取手部の高さ調整を可能とする。
【０００９】
第２には、左右の後方フレームを、左右の前方フレームのフレーム幅より大きいフレーム幅とし、その間に入って容易に歩けるようにする。
【実施例１】
【００１０】
以下、図１乃至図６の図面を参照しながらこの発明の実施例に基づき具体的に説明する。
【００１１】
図２はこの発明にかかる歩行補助器１の全体の概要斜視図を示している。
【００１２】
歩行補助器１は、左右一対のサイドフレーム３，３とそのサイドフレーム３，３に固定支持された前方フレーム装飾部材５と後方フレーム装飾部材７とで構成されている。
【００１３】
左右のサイドフレーム３，３は、前方へ向け下降傾斜した断面中空状の前方フレーム９，９と後方へ向け下降傾斜した断面Ｔ字状の後方フレーム１１，１１とよりなる軽量化が図られたフレーム形状となっていて、前方フレーム９と後方フレーム１１は、上端部を溶接によって突合せ結合させることで側方から見て八字状に形成されている。この場合、溶接は断面中空状とＴ字状の突合せとなるため溶接が容易となっている。
【００１４】
左右の前方フレーム９は、クロスメンバとなる結合フレーム１３によって結合支持されている。左右の後方フレーム１１は、図３に示すように前方フレーム９のフレーム幅より径大に設定され、横幅のある人でも後方フレーム１１と後方フレーム１１の間に入って容易に歩くことが可能となっている。
【００１５】
なお、左右の前方フレーム９同志の結合は、結合フレーム１３にかえて図６に示すように上下二段の荷物入れ１５，１５を設け、その荷物入れ１５をクロスメンバとして機能させるようにすることも可能である。
【００１６】
前方フレーム９と後方フレーム１１の下部にはそれぞれキャスタ１７が３６０度回転自在に取付けられている。この場合、後方フレーム１１のキャスタ１７を図７に示すように底面にフェルト１９が設けられた滑動体２１にかえて使用することも可能である。
【００１７】
一方、前方フレーム装飾部材５と後方フレームの装飾部材７は強度メンバとしての機能と暖かみのある外観品質機能とを備え、所定の厚みを有する木材で作られている。
【００１８】
具体的に説明すると、前方フレーム装飾部材５は、一部分となるキャスタ側を残して、前記左右の前方フレーム９に沿って上方へ延長支持され、その延長部から後方へ屈曲されたサイドアーム部２３とサイドアーム部２３とサイドアーム部２３をつなぐ幅方向に長いバー状の取手部２５を有する独立した一体形状となっている。
【００１９】
サイドアーム部２３の長さは約１８ｃｍで、上昇角度θは約１１°に設定されている。これは、上方からの荷重Ｗに対して根元部Ｒに大きな負荷が働くようになるのを回避する一方、使い勝手のよい形状となっている。
【００２０】
前方フレーム９に対する前方フレーム装飾部材５の取付けは、前方フレーム装飾部材５側に複数の調節孔２７が設けられ、前方フレーム９側から挿入された締結具２９を前記調節孔２７の１つに螺合させることで固定支持されるようになっている。
【００２１】
したがって、前記調節孔２７の１つを選択することで前方フレーム装飾部材５、即ち、取手部２５の上下方向の高さ調節（図１鎖線）が可能となっている。
【００２２】
後方フレーム装飾部材７は、前記後方フレーム１１のＴ字状の垂直板１１ａと係合し合う長手方向に連続する係合溝３１を有している。係合溝３１はＴ字状の垂直板１１ａに強制的に係合させることで固定支持されると共に後方フレーム装飾部材７の上端は前方フレーム９に対して突合せ接触となっている。
【００２３】
この場合、垂直板１１ａと係合溝３１との関係は接着剤を用いるか、あるいは、何箇所かをビス止めすることが望ましい。これにより、後方フレーム装飾部材７の安定した確実な取付け状態が長期間にわたって得られるようになる。
【００２４】
このように構成された走行補助器１によれば、フレームのほぼ全体が木材となるため、暖かみのある外観品質に加えて木材による質感によって高級感が得られると共に、家の中で使用しても家具類等とマッチする。
【００２５】
また、外気温の低い冬期において直接触れてもスチール製のように冷たい、という不快感が起きることがなくなる。
【００２６】
また、一定の厚みを備えた各装飾部材５，７は強度メンバとして機能し、全体の強度剛性が確保できるようになるため、サイドフレーム３，３を薄肉の中空状とＴ字状にすることが可能となり、その分、軽量化に寄与する。
【００２７】
一方、後方フレーム１１と後方フレーム１１のフレーム幅が前方フレーム幅より拡がっているため、横幅のある人でも無理なくその間に入り容易に歩けるようになる。
【図面の簡単な説明】
【００２８】
【図１】この発明にかかる歩行補助器の概要側面図。
【図２】歩行補助器の概要斜視図。
【図３】歩行補助器の概要正面図。
【図４】図１のＡ−Ａ線断面図。
【図５】図１のＢ−Ｂ線断面図。
【図６】結合フレームにかえて荷物入れを設けた図２と同様の概要斜視図。
【図７】前方フレームをキャスタに、後方フレームをキャスタにかえて滑動体とした概要説明図。
【符号の説明】
【００２９】
３…サイドフレーム
５…前方フレーム装飾部材
７…後方フレーム装飾部材
９…前方フレーム
１１…後方フレーム
１３…結合フレーム
１７…キャスタ
２５…取手部
【図１】
2005118141.tif 000003
【図２】
2005118141.tif 000004
【図３】
2005118141.tif 000005
【図４】
2005118141.tif 000006
【図５】
2005118141.tif 000007
【図６】
2005118141.tif 000008
【図７】
2005118141.tif 000009